(57)【要約】      （修正有）【課題】火災報知器の警報に基いて消火器の存在およびその使用方法を報知する消火案内装置を提供する。【解決手段】火災報知器の発生する報知出力を検知すると出力を生じる検知回路１１１、および検知回路の出力に応じて無線信号を送信する送信回路１１２を有する送信機１１０と、送信機からの無線信号を受信すると発光、発音の少なくとも一方の指令を発する受信回路１２１、受信回路からの指令に応じて光および音声案内の少なくとも一方の出力を形成する出力回路１２２，１２３、発光器ＬおよびスピーカＳＰの少なくとも一方を有し、出力回路からの出力に応じて動作する案内出力手段を有する受信機１２０とをそなえた消火案内装置。【選択図】図３
0003138803.tif 000002
【実用新案登録請求の範囲】
【請求項１】
火災報知器の発生する報知出力を検知すると出力を生じる検知回路、および
前記検知回路の出力に応じて無線信号を送信する送信回路を有する送信機と、
前記送信機からの無線信号を受信すると発光、発音の少なくとも一方の指令を発する受信回路、前記受信回路からの指令に応じて光および音声案内の少なくとも一方の出力を形成する出力回路、発光器およびスピーカの少なくとも一方を有し、前記出力回路からの出力に応じて動作する案内出力手段を有する受信機と、
をそなえた消火案内装置。
【請求項２】
請求項１記載の消火案内装置に用いる送信機。
【請求項３】
請求項２記載の送信機において、
前記検知回路は、警報音の音圧が所定値を超えると出力を生じる消火案内装置用の送信機。
【請求項４】
請求項２記載の送信機において、
前記検知回路は、火災報知器内に設けられ、該火災報知器の報知動作に応じて出力を生じるようにした送信機。
【請求項５】
請求項１記載の消火案内装置に用いる受信機。
【請求項６】
請求項５記載の受信機において、
前記消火器の台に設けられ、前記消火器が載置されているときオンとなる第１モードスイッチと、前記消火器が載置されていないときオンとなる第２モードスイッチとを有する対型スイッチと、
前記第１モードスイッチがオンのとき給電されて、前記消火器の存在を音、光の少なくとも一方で表示する出力を形成する初動出力回路と、をそなえ、
前記第２モードスイッチがオンのとき、前記出力回路を動作させるようにしたことを特徴とする受信機。
【請求項７】
請求項５記載の受信機において、
前記受信回路は、複数種類の無線信号を弁別して受信する受信機。
【請求項８】
請求項５記載の受信機において、
前記受信回路は、前記受信回路が受信したとき他の受信機に向けて再送信する再送信回路を有する受信機。
【考案の詳細な説明】
【技術分野】
【０００１】
本考案は、火災発生時に消火案内を行う装置に係わり、とくに火災報知器による警報に基き、消火器の使用案内を行う装置に関する。
【背景技術】
【０００２】
オフィスビルでは設置することが一般化した火災報知器は、今後、住宅にも普及させる方向での消防法改正がなされた。このため、市区町村条例により平成２０年ないし平成２３年の間に設置義務化の期日が定められ、住宅での火災発生時の対応がより迅速になされることとなる。
【０００３】
そして、火災報知器は、迅速、確実に報知することが重要であり、そのための提案がなされている（特許文献１ないし同３参照）。
【特許文献１】特開2006-053790号公報
【特許文献２】特開2006-302203号公報
【特許文献３】特開2002-170175号公報
【考案の開示】
【考案が解決しようとする課題】
【０００４】
一方、火災に対しては、できるだけ早期に消火することも重要な対応方法であり、消火器の存在およびその操作を案内することにより、初期消火で済む場合もある。
【０００５】
しかしながら、従来、消火器を含めた消火活動に関する案内を行うための提案はなされていない。
【０００６】
本考案は、上述の点を考慮してなされたもので、火災報知器の警報に基いて消火器の存在およびその使用方法を報知する消火案内装置を提供することを目的とする。
【課題を解決するための手段】
【０００７】
上記目的達成のため、本考案では、
火災報知器の発生する報知出力を検知すると出力を生じる検知回路、および
前記検知回路の出力に応じて無線信号を送信する送信回路を有する送信機と、
前記送信機からの無線信号を受信すると発光、発音の少なくとも一方の指令を発する受信回路、前記受信回路からの指令に応じて光および音声案内の少なくとも一方の出力を形成する出力回路、発光器およびスピーカの少なくとも一方を有し、前記出力回路からの出力に応じて動作する案内出力手段を有する受信機と、
をそなえた消火案内装置、
を提供するものである。
【考案の効果】
【０００８】
本考案は上述のように、火災報知器の警報に応じて消火器の存在およびその使用方法を案内するようにしたため、極めて迅速に消火活動を行うことができ、大規模な火災に移行することを未然に防止することができる。
【考案を実施するための最良の形態】
【０００９】
以下、添付図面を参照して本考案の実施の形態を説明する。  
【実施例１】
【００１０】
図１は、本考案の実施例１による案内状況を示した概念図である。ここでは、戸建住宅における火災報知器１００と、それに応動する送信機１１０および受信機１２０が示されている。
【００１１】
火災報知器１００は、火災を検知すると大音圧で鳴動する。この鳴動を捉えて、送信機１１０が無線方式で警報波の送信を行う。警報波は、建物全体の適所に配置されている消火器の台に組み込まれた受信機１２０が受信して、第1モードの動作、つまり音、光により消火器の存在をその近くに居る人に知らせる動作、を行う。
【００１２】
光による案内は、例えば「消火器」なる文字を明、滅させる表示により行う。また、音による案内は、「消火器はここです！消火器はここです！（連呼）」としてもよい。さらに、案内を外国語で行ってもよい。
【００１３】
これにより近くに居る人が消火器を手に取ると、台に設けられたスイッチが作動して受信機１２０のモード切替が行われ、第２モードの動作に移行する。このモードでは、消火器の操作案内を行う。
【００１４】
この案内は、次の３つのメッセージにより構成される。まず「安全ピンを抜いてください！」、次に「ホースを火元に向けてください！」、最後に「レバーをしっかり握り消火してください！」である。
【００１５】
図２は、本考案の装置における消火器２００周りの外観構成を示したものである。消火器２００は、床置き式が一般的であるので、これを例にとる。床に置く場合は、床に台２０１を置き、その台２０１上に消火器２００の本体２０２を載置する。
【００１６】
この台２０１に、受信機１２０を組み込む。そして、消火器２００の本体２０２が載置されているとき、および取り上げられたときにそれぞれオンとなるスイッチ（図示せず）を組込んでおけば、このスイッチの動作で受信機の動作モードを切替えることができる。要は、消火器に触れることでモード切替ができる要素であればよい。
【００１７】
消火器２００は、レバー２０３およびホース２０４により操作するが、レバー２０３を操作するには安全ピン２０５を事前に引抜いておく必要がある。
【００１８】
図３は、本考案に係る装置の電気的装置構成例を示すブロック線図である。火災報知器１００の発する警報音は、送信機１１０のマイクロフォンＭＩＣで拾われて警報音検知回路１１１に与えられる。ここでは、音圧が所定値以上であると警報音検知回路１１１が検知動作を行なって送信回路１１２に出力を与え、アンテナから無線方式で所定電波を送信させるように構成されている。
【００１９】
この電波は、建物内の消火器設置場所に設けられた受信機１２０のアンテナにより受信されて、受信回路１２１に与えられる。受信機１２０は、上述したように２つの動作モードを有し、受信回路１２１は常時動作しているが、他の回路要素はモードに応じて動作する。
【００２０】
モードの切替は、消火器２００が台２０１（図１）の上にあるか、台２０１から引き上げられたかにより行う。そのために、台２０１には、対型スイッチＳＷが組み込まれており、消火器２００が台上にあるときオンである接点と、台上にないときオンである接点とが設けられており、これらの接点のオン、オフにより電源であるバッテリーＢ（または商用電源給電型電源）から各回路要素への給電を切替える。
【００２１】
消火器２００が台上にある第1モードでは、受信回路１２１と初動出力回路１２２とが動作し、消火器２００を引き上げた第２モードでは受信回路１２１と音声ガイド出力回路１２３とが動作する。
【００２２】
このために、対型スイッチＳＷの一方のスイッチＳＷ１は、消火器２００が台上に置かれた状態でオンであり、他方のスイッチＳＷ２は、反対に消火器２００が台から引き上げられたときにオンとなる。この対型スイッチＳＷと一対のダイオードＤ１，Ｄ２とによって、第１および第２の各モード別の給電が行われる。
【００２３】
初動出力回路１２２は、音と光で消火器２００の存在を知らせるため発光体ＬおよびスピーカＳＰに出力を与える。音声ガイド出力回路１２３は、上述した３つのメッセージのような音声を、スピーカＳＰから音声出力するための信号を形成する。なお、音および光は、何れか一方のみでもよい。
【実施例２】
【００２４】
図４(a)，(b)は、部屋または建屋が複数あり、各部屋または各建屋に火災報知器が設置され、消火器等も設置されている場合への適用例を示したものである。この場合、出火部屋（建屋）を特定するために、各部屋（建屋）の送信機１１０は異なる電波ＷA，ＷB，ＷCを送出するものとする。
【００２５】
受信機１２０は、これら電波ＷA，ＷB，ＷCを弁別受信して音声メッセージに反映させる。例えば「台所が火事です！」とか「風呂場が火事です！」等である。また、受信機は、必ずしも消火器２００の台に組み込む形式ではなくともよく、符号１２０Ａで示すような壁掛け型としてもよい。
【００２６】
そして、図４(a)の場合は、同報通信形式とし、各部屋の送信機１１０からの電波ＷAを受信機１２０，１２０，１２０Ａで同時受信して、それぞれ案内表示を行う。これは、部屋（建屋）間の距離が近いとか、送信機１１０の送信出力がある程度大きい場合に適当である。
【００２７】
また、図４(b)の場合は、部屋Ａで火災が発生したとして部屋Ｂ，Ｃに順繰りに電波ＷＡ’，ＷＡ’’として送る順次通信方式とした例である。これは、部屋（建屋）間の距離が遠いとか、送信機１１０の出力とか受信機１２０の受信能力が十分でない場合とかに適当である。
【００２８】
そして、図５(a)，(b)は、図４(a)，(b)のような適用例に用いる受信機の構成例を示したものである。図５(a)の受信機１２０は、図３に示したものを使用するが、壁掛け型の受信機１２０’は、図３に示した回路に設けられているスイッチＳＷが省略されている。この受信機１２０’は、消火器２００と組み合わせずに設置するものである。
【００２９】
また、図５(b)の受信機１２０Ａ，１２０Ｂは、図３に示した回路に再送信回路１２４およびアンテナを追加したものであり、受信動作により自ら報知動作を行うとともに、他の部屋に向けて再送信を行う。ただし、部屋Ｃに設置される受信機１２０Ｂは、スイッチＳＷが省略されており、図５(a)の受信機１２０’も同様に消火器２００に組み合わされたスイッチＳＷはない。
【他の実施例】
【００３０】
上記実施例における警報音検知回路１１１は、音を検知する替わりに信号を検知するものとして、マイクロフォンＭＩＣを外して火災報知器１００内に組み込んでもよい。
【図面の簡単な説明】
【００３１】
【図１】本考案の一実施例の概要を示す説明図。
【図２】図１に示した送信機および受信機を示す説明図。
【図３】図２に示した送信機および受信機の内部構成を示す回路図。
【図４】図４(a)，(b)は、複数の部屋に対する消火案内の方式を示した概念図。
【図５】図４の概念による消火案内に使用する装置構成を示す回路図。
【符号の説明】
【００３２】
１００  火災報知器、１１０  送信機、１１１  警報音検知回路、
１１２  送信回路、１２０，１２０Ａ，１２０Ｂ  受信機、１２１  受信回路、
１２２  初動出力回路、１２３  音声ガイド出力回路、２００  消火器、
ＳＷ  スイッチ、Ｌ  発光体、ＳＰ  スピーカ、Ｂ  バッテリー、
Ｄ  ダイオード、Ｗ  電波。
【図１】
0003138803.tif 000003
【図２】
0003138803.tif 000004
【図３】
0003138803.tif 000005
【図４】
0003138803.tif 000006
【図５】
0003138803.tif 000007
【手続補正書】
【提出日】平成19年9月6日(2007.9.6)
【手続補正１】
【補正対象書類名】実用新案登録請求の範囲
【補正対象項目名】全文
【補正方法】変更
【補正の内容】
【実用新案登録請求の範囲】
【請求項１】
火災報知器の発生する報知出力を検知すると出力を生じる検知回路、および
前記検知回路の出力に応じて無線信号を送信する送信回路を有する送信機と、
前記送信機からの無線信号を受信すると発光、発音の少なくとも一方の指令を発する受信回路、前記受信回路からの指令に応じて光および音声案内の少なくとも一方の出力を形成する出力回路、発光器およびスピーカの少なくとも一方を有し、前記出力回路からの出力に応じて動作する案内出力手段を有する受信機と、
をそなえた消火案内装置。
【請求項２】
請求項1記載の消火案内装置において、
前記送信機は、警報音の音圧が所定値を超えると出力を生じる検知回路を有することを特徴とする消火案内装置。
【請求項３】
請求項１記載の消火案内装置において、
前記送信機は、火災報知器内に設けられ、該火災報知器の報知動作に応じて出力を生じる検知回路を有することを特徴とする消火案内装置。
【請求項４】
請求項１記載の消火案内装置において、
消火器の台に設けられ、前記消火器が載置されているときオンとなる第１モードスイッチと、前記消火器が載置されていないときオンとなる第２モードスイッチとを有する対型スイッチと、
前記第１モードスイッチがオンのとき給電されて、前記消火器の存在を音、光の少なくとも一方で表示する出力を形成する初動出力回路と、をそなえ、
前記第２モードスイッチがオンのとき、前記出力回路を動作させるようにしたことを特徴とする受信機。
【請求項５】
請求項１記載の消火案内装置において、
前記受信機は、複数種類の無線信号を弁別して受信する受信回路を有することを特徴とする消化案内装置。
【請求項６】
請求項１記載の消火案内装置において、
前記受信機は、前記受信回路が受信したとき他の受信機に向けて再送信する再送信回路を有することを特徴とする消火案内装置。
【手続補正書】
【提出日】平成19年11月13日(2007.11.13)
【手続補正１】
【補正対象書類名】実用新案登録請求の範囲
【補正対象項目名】請求項４
【補正方法】変更
【補正の内容】
【請求項４】
請求項１記載の消火案内装置において、
消火器の台に設けられ、前記消火器が載置されているときオンとなる第１モードスイッチと、前記消火器が載置されていないときオンとなる第２モードスイッチとを有する対型スイッチと、
前記第１モードスイッチがオンのとき給電されて、前記消火器の存在を音、光の少なくとも一方で表示する出力を形成する初動出力回路と、を有し、
前記第２モードスイッチがオンのとき、前記出力回路を動作させる受信機を備えたことを特徴とする消火案内装置。
【手続補正２】
【補正対象書類名】実用新案登録請求の範囲
【補正対象項目名】請求項５
【補正方法】変更
【補正の内容】
【請求項５】
請求項１記載の消火案内装置において、
前記受信機は、複数種類の無線信号を弁別して受信する受信回路を有することを特徴とする消火案内装置。